(57)【特許請求の範囲】
【請求項１】
上段側トレー(1)と下段側トレー(2)とを連結し、これらのトレー(1,2)を相対移動させることにより、トレー(1,2)が上下に並んで吊り下げられるハンガー状態の陳列と、階段状に並んで設置されるカウンター状態の陳列とに兼用可能な陳列具において、上段側トレー(1)の両側壁(14)及び後壁(15)を底壁(16)より下方へ延長して、側壁(14)の延長部分である帯板部(17)に、後部から前部へかけて斜め下方へ延びる山折線(17a)及び谷折線(17b)を上下に並べて入れ、帯板部(17)の谷折線(17b)より下方の部分を下段側トレー(2)に貼り付け、帯板部(17)を山折線(17a)及び谷折線(17b)に沿って屈曲させずに伸ばしておくことによりハンガー状態とし、帯板部(17)を山折線(17a)及び谷折線(17b)に沿って屈曲させ、下段側トレー(2)の底面と上段側トレー(1)の後壁(15)の下部とを接地させることによりカウンター状態とすることを特徴とする陳列具。
【請求項２】
請求項１に記載の陳列具において、前記上段側トレー(1)の後壁(15)の両側に、筒状の巻込により柱部(18)を設けたことを特徴とする陳列具。
【請求項３】
請求項２に記載の陳列具において、前記下段側トレー(2)の後壁(25)に係合板(25b)を設け、ハンガー状態で、この係合板(25b)を上方へ折り曲げて、上段側トレー(1)の後壁(15)両側の柱部(18)に係合させ、上下のトレー(1,2)の左右方向の相対的な揺動を阻止したことを特徴とする陳列具。
【発明の詳細な説明】
【技術分野】
【０００１】
この発明は、店頭に吊下又は設置してトレーに乗せた商品を陳列する陳列具に関するものである。
【背景技術】
【０００２】
従来、下記特許文献１には、図７及び図８に示すように、上段側のトレー５１と下段側のトレー５２とを連結し、これらのトレー５１，５２を相対移動させることにより、トレー５１，５２が上下に並んで吊り下げられるハンガー状態の陳列と、階段状に並んで設置されるカウンター状態の陳列とに兼用可能な陳列具が記載されている。
【０００３】
この陳列具では、上下のトレー５１，５２を、それぞれ前壁６１，７１、一対の側壁６２，７２、後壁６３，７３及び底壁６４，７４から構成し、上段側トレー５１の両側壁６２及び後壁６３を底壁６４より下方へ延長して、側壁６２の延長部分に後下部から前上部へ向けて斜上方へ延びるガイド用長穴６２ａを形成している。
【０００４】
そして、下段側トレー５２の両側壁７２から突出するビス７５を長穴６２ａにスライド自在に挿通し、上下のトレー５１，５２が長穴６２ａに沿って相対移動することにより、陳列状態が転換されるようになっている。
【先行技術文献】
【特許文献】
【０００５】
【特許文献１】特開２００６−２３９３８７号公報
【発明の概要】
【発明が解決しようとする課題】
【０００６】
しかしながら、上記のような陳列具では、上下のトレー５１，５２に重量のある商品を収納して、ハンガー状態で吊り下げると、側壁６２が長穴６２ａの下端から裂けるおそれがあり、また、カウンター状態で設置すると、上段側トレー５１の両側壁６２及び後壁６３の下方への延長部分が撓んで、不安定な設置状態となるおそれがある。
【０００７】
そこで、この発明は、ハンガー状態及びカウンター状態のいずれにおいても、重量のある商品を安定して陳列できるようにすることを課題とする。
【課題を解決するための手段】
【０００８】
上記課題を解決するため、この発明は、上段側トレーと下段側トレーとを連結し、これらのトレーを相対移動させることにより、トレーが上下に並んで吊り下げられるハンガー状態の陳列と、階段状に並んで設置されるカウンター状態の陳列とに兼用可能な陳列具において、上段側トレーの両側壁及び後壁を底壁より下方へ延長して、側壁の延長部分である帯板部に、後部から前部へかけて斜め下方へ延びる山折線及び谷折線を上下に並べて入れ、帯板部を山折線及び谷折線に沿って屈伸することにより、陳列状態が転換されるようにしたのである。
【０００９】
また、前記上段側トレーの後壁の両側に、筒状の巻込により柱部を設けたのである。
【００１０】
さらに、前記下段側トレーの後壁に係合板を設け、ハンガー状態で、この係合板を上方へ折り曲げて、上段側トレーの後壁両側の柱部に係合させ、上下のトレーの左右方向の相対的な揺動を阻止したのである。
【発明の効果】
【００１１】
この陳列具では、比較的大きな幅のある帯板部を、山折線及び谷折線に沿って屈伸することにより、陳列状態を転換するので、重量物を収納しても、ハンガー状態で特定の部分に荷重が集中することがなく、亀裂の発生が防止され、また、カウンター状態で帯板部が折り重なって、トレーの位置が固定され、安定した設置状態での陳列が可能となる。
【００１２】
また、上段側トレーの後壁に柱部を設けると、カウンター状態で、荷重が作用する後壁の撓みが防止され、設置状態での安定性が向上する。
【００１３】
さらに、ハンガー状態で、上下のトレーの後壁同士を係合板で係合させて、その左右方向の相対的な揺動を阻止すると、横揺れが防止され、吊下状態での安定性が向上する。
【図面の簡単な説明】
【００１４】
【図１】この発明に係る陳列具のハンガー状態を前方から示す斜視図
【図２】同上のハンガー状態を後方から示す斜視図
【図３】同上のカウンター状態を前方から示す斜視図
【図４】同上の陳列具の分解斜視図
【図５】同上の各トレーの前側部材のブランクを示す図
【図６】同上の各トレーの後側部材のブランクを示す図
【図７】従来の陳列具のハンガー状態を示す斜視図
【図８】同上のカウンター状態を示す斜視図
【発明を実施するための形態】
【００１５】
以下、この発明の実施形態を添付図面に基づいて説明する。
【００１６】
この陳列具は、図１乃至図３に示すように、上段側のトレー１と下段側のトレー２とを連結し、このトレー１，２を相対移動させることにより、トレー１，２が上下に並んで吊り下げられるハンガー状態の陳列と、階段状に並んで設置されるカウンター状態の陳列とに兼用可能としたものである。
【００１７】
図５及び図６は、この陳列具を構成する板紙製のブランクを示すものであり、図５においては、上下のトレー１，２の前側部材１１，２１のブランクを示し、図６においては、上下のトレー１，２の後側部材１２，２２のブランクを示す。
【００１８】
いま、図５に示すように、前側部材１１のブランクでは、前壁１３の両側に側壁１４が連設され、前壁１３の切り込まれた中間部の上端には、内前板１３ａ及び底壁１６が順次連設されている。
【００１９】
側壁１４の後端には貼着片１４ａが連設され、側壁１４の前下がりに傾斜した上端には内側板１４ｂが連設されている。側壁１４の上後部と内側板１４ｂの境界を挟んだ対称位置には、紐穴１４ｃが設けられている。
【００２０】
側壁１４は、組立時に底壁１６の高さ位置となる前壁１３の下端より下方へ延長され、この延長部分が帯板部１７とされている。帯板部１７には、後部から前部へかけて斜め下方へ延びる山折線１７ａ及び谷折線１７ｂが上下に並べて入れられている。
【００２１】
帯板部１７の下端には、底受片１７ｃが連設されている。帯板部１７の前縁には、山折線１７ａの位置から鉤状の係止片１７ｄが下向きに設けられ、帯板部１７の後縁には、下端部に鉤状の係止片１７ｅが上向きに設けられている。
【００２２】
底壁１６の先端には差込片１６ａが、両側には側支片１６ｂがそれぞれ連設され、前壁１３の下端には底受片１６ｃが連設されている。
【００２３】
一方、下段側トレー２の前側部材２１のブランクでは、前壁２３の両側に側壁２４が連設され、前壁２３の切り込まれた中間部の上端には、内前板２３ａ及び底壁２６が順次連設されている。
【００２４】
側壁２４の上端は前下がりに傾斜し、側壁２４の後端には、貼着片２４ａが連設され、前壁２３及び側壁２４の下端には、それぞれ底板２６ａ，２６ｂが連設されている。
【００２５】
また、図６に示すように、上段側トレー１の後側部材１２のブランクでは、上下方向に長い後壁１５を中間として、その両側に柱部１８となる部分が連設されている。柱部１８には、後壁１５との境界をなす折目線と外端縁との間に、２本の上下方向に延びる折目線が入れられている。
【００２６】
後壁１５と柱部１８の境界部分には、その上下方向の中間部に、長いスリット状の差込穴１５ａが設けられ、後壁１５の中間部分の下部には、門型の切込による差込穴１５ｂが設けられている。柱部１８の内部には、外側寄りの折目線に沿って、短いスリット状の係合穴１８ａが設けられている。
【００２７】
また、後壁１５及び柱部１８の部分とは別体として、後壁１５の下部と同様の形状の補強板１５ｃが形成されている。
【００２８】
一方、下段側トレー２の後側部材２２のブランクでは、後壁２５を中間として、その上端に外後板２５ａが、下端に底板２６ｃがそれぞれ連設されている。外後板２５ａの切り込まれた中間部には、係合板２５ｂが連設され、その先端両側部には係合突起２５ｃが設けられている。
【００２９】
上記のようなブランクから陳列具を組み立てるには、図４に示すように、上段側トレー１の前側部材１１において、前壁１３から両側壁１４を後方へ折り曲げ、内側板１４ｂを折り曲げて、側壁１４の内面に貼り付ける。
【００３０】
次に、内前板１３ａを後下方へ折り曲げて、前壁１３と内前板１３ａとの間に長方形の段ボール製補強板３を挟み込み、底壁１６を後方へ折り曲げると共に、差込片１６ａを下方へ、側支片１６ｂを上方へそれぞれ折り曲げ、貼着片１４ａ及び底受片１７ｃを内側へ折り曲げる。
【００３１】
また、後側部材１２のブランクにおいて、後壁１５の後面下部に補強板１５ｃを貼り付け、柱部１８を後壁１５の後方へ三角筒状に巻き込むように折り曲げる。
【００３２】
また、下段側トレー２の前側部材２１のブランクにおいて、前壁２３から両側壁２４を後方へ折り曲げ、貼着片２４ａを内側へ折り曲げて、後側部材２２の後壁２５の後面に貼り付け、外後板２５ａを後壁２５から後下方へ折り曲げて、後壁２５及び貼着片２４ａの後面に貼り付ける。
【００３３】
次に、底板２６ａ，２６ｂ，２６ｃを噛み合わせ、係合板２５ｂを上方へ折り曲げ、内前板２３ａを後下方へ折り曲げて、前壁２３と内前板２３ａとの間に長方形の段ボール製補強板３を挟み込み、底壁２６を後方へ折り曲げて、底板２６ａ，２６ｂ，２６ｃの上面に重ね、水平状態に保持する。
【００３４】
そして、図１及び図２に示すように、上段側トレー１において、貼着片１４ａを差込穴１５ａに差し込んで、後壁１５の後面に貼り付け、柱部１８の先端側部分を後壁１５及び貼着片１４ａに貼り付け、差込片１６ａを差込穴１５ｂに差し込むことにより、底壁１６を水平状態に保持する。
【００３５】
その後、帯板部１７の谷折線１７ｂより下方の部分を、下段側トレー２の側壁２４の外面に貼り付け、底受片１７ｃを底板２６ｂの下面に貼り付けることにより、上下のトレー１，２を連結する。
【００３６】
上記のように組み立てた陳列具では、上下のトレー１，２に板チョコレート等の商品Ｇを載置して店頭で吊下陳列する際、帯板部１７を山折線１７ａ及び谷折線１７ｂに沿って折り曲げることなく、伸ばしておくことにより、上下のトレー１，２が上下に並んだハンガー状態とし、紐穴１４ｃに紐４を挿通して、これにより陳列什器に吊り下げる。
【００３７】
このとき、係合板２５ｂの両側の係合突起２５ｃを、柱部１８の係合穴１８ａに差し込むと、上下のトレー１，２の後壁１５，２５同士が係合板２５ｂを介して係合し、上下のトレー１，２の左右方向の相対的な揺動が阻止されて、横揺れが防止され、吊下状態での安定性が向上する。
【００３８】
また、帯板部１７の係止片１７ｄを撓ませて、下段側トレー２の側壁２４の上端を乗り越えさせると、山折線１７ａ及び谷折線１７ｂでの折り癖に抗して、帯板部１７の外側への膨らみが抑制され、美観に優れた陳列が可能となる。
【００３９】
一方、図３に示すように、上下のトレー１，２が階段状に並んだカウンター状態として陳列する際には、係合板２５ｂによる後壁１５，２５の係合を解除した状態で、帯板部１７を、表面側から見て山折線１７ａに沿って山折りし、谷折線１７ｂに沿って谷折りすることにより、上段側トレー１の前下方に下段側トレー２が位置するようにし、後壁１５の下部をスタンドとして接地させる。
【００４０】
このとき、柱部１８が支柱となって、商品Ｇの荷重による後壁１５の撓みを防止するので、設置状態での安定性が向上する。
【００４１】
また、帯板部１７の係止片１７ｄを折り込み、係止片１７ｅを撓ませて、重なり合う外側の帯板部１７を乗り越えさせると、山折線１７ａ及び谷折線１７ｂでの反発に抗して、帯板部１７の外側への膨らみが抑制され、美観に優れた陳列が可能となる。
【００４２】
このように、上記陳列具では、比較的大きな幅のある帯板部１７を山折線１７ａ及び谷折線１７ｂに沿って屈伸することにより、陳列状態を転換するので、トレー１，２に重量のある商品Ｇを収納しても、ハンガー状態で特定の部分に荷重が集中することがなく、亀裂の発生が防止され、また、カウンター状態で帯板部１７が折り重なって、トレー１，２の位置が固定され、安定した設置状態での陳列が可能となる。
【００４３】
また、従来のように、スライドにより陳列形態を変更するものに比べて、形態の変更感がはっきりし、カウンター状態で持ち上げても、下段側のトレー２が不安定にずり落ちたり回転したりしないので、店頭での作業性が向上する。
【００４４】
なお、上記実施形態では、各側壁１４の帯板部１７の下端に設けた底受片１７ｃが左右に分離したものを例示したが、さらに重量のある商品を載せる場合には、各側壁１４の帯板部１７から延びる底受片１７ｃを、下段側トレー２の底面で繋ぐようにしてもよい。
【００４５】
また、材料使用の都合上、上下のトレー１，２をそれぞれ前側部材１１，２１と後側部材１２，２２とを接合することにより構成したが、上下のトレー１，２は、それぞれ１枚のブランクから構成するようにしてもよい。
【符号の説明】
【００４６】
１，２  トレー
３  補強板
４  紐
１１  前側部材
１２  後側部材
１３  前壁
１３ａ  内前板
１４  側壁
１４ａ  貼着片
１４ｂ  内側板
１４ｃ  紐穴
１５  後壁
１５ａ，１５ｂ  差込穴
１５ｃ  補強板
１６  底壁
１６ａ  差込片
１６ｂ  側支片
１６ｃ  底受片
１７  帯板部
１７ａ  山折線
１７ｂ  谷折線
１７ｃ  底受片
１７ｄ，１７ｅ  係止片
１８  柱部
１８ａ  係合穴
２１  前側部材
２２  後側部材
２３  前壁
２３ａ  内前板
２４  側壁
２４ａ  貼着片
２５  後壁
２５ａ  外後板
２５ｂ  係合板
２５ｃ  係合突起
２６  底壁
２６ａ，２６ｂ，２６ｃ  底板
Ｇ  商品
【図１】
0005658042.tif 000002
【図２】
0005658042.tif 000003
【図３】
0005658042.tif 000004
【図４】
0005658042.tif 000005
【図５】
0005658042.tif 000006
【図６】
0005658042.tif 000007
【図７】
0005658042.tif 000008
【図８】
0005658042.tif 000009